(57)【要約】全方向伸縮性衣料品が開示される。本品は、第一の表面、第二の表面、少なくとも一つの全方向伸縮性ポリマー層、および、該ポリマー層の少なくとも一部に取り付けられた少なくとも一つの繊維層を含む。本品は、少なくとも一つのポリマー層または繊維層に埋め込まれたまたは一体化された、少なくとも一つのタイプの治療用物質をさらに含む。【選択図】なし【特許請求の範囲】
【請求項１】
全方向伸縮性衣料品であって、以下を含む：
（ａ）第一の表面および第二の表面を有する少なくとも一つの全方向伸縮性ポリマー層；
（ｂ）前記衣料品の該第一の表面、前記第二の表面のうちの一つの、またはその両方の、少なくとも一部に取り付けられた繊維またはばら毛；および、
（ｃ）前記全方向伸縮性衣料品の前記ポリマー層、前記繊維、またはこれら両方の一部に埋め込まれたまたは一体化された、治療用物質；
ここで、前記治療用物質が、湿潤状態または乾燥状態において容易に活性な状態となり、または、いかなる好適な効果またはエネルギーを適用することによって、もしくは、いかなる好適な物質をいかなる形態で添加することにより、いかなる所望時にも活性化されることを特徴とし；および、
前記ポリマー層が、前記治療用物質を衣料品のある一つの側から他の側へ漏洩させることなく、着用者の肌または前記衣料品の前記第一の表面のみに接着した状態に維持するために、かなり不浸透性であることを特徴とする、
前記全方向性伸縮性衣料品。
【請求項２】
前記少なくとも一つの全方向伸縮性ポリマー層が、天然もしくは人工ゴムまたはエラストマー材料製であることを特徴とする、請求項１に記載の全方向伸縮性衣料品。
【請求項３】
前記効果またはエネルギーが、一以上の熱、光、圧力、音、振動、放射線、レーザーまたは超音波を含むことを特徴とする、請求項１または２に記載の全方向伸縮性衣料品。
【請求項４】
前記治療用物質が、一以上の液体、粉体、または蒸気を添加することによって活性化されることを特徴とする、請求項１〜３のいずれかに記載の全方向伸縮性衣料品。
【請求項５】
前記衣料品が、少なくとも二つの開口部を有する袖状を成していることを特徴とする、請求項１〜４のいずれかに記載の全方向伸縮性衣料品。
【請求項６】
前記衣料品が、一つの開口部を有する閉鎖されたスペースを形成していることを特徴とする、請求項１〜５のいずれかに記載の全方向伸縮性衣料品。
【請求項７】
前記衣料品が、手袋、靴下、または頭部全体を覆うマスクであることを特徴とする、請求項６に記載の全方向伸縮性衣料品。
【請求項８】
前記衣料品が、シート状または紐状に構成されていることを特徴とする、請求項１〜５のいずれかに記載の全方向伸縮性衣料品。
【請求項９】
前記衣料品が、少なくとも一つの付加的な穴または開口部を含み、前記開口部が、少なくとも一つの体の部分に支えられることにより前記体の部分が前記開口部から突き出しており、これにより、目的とする体の部分のみが覆われることを特徴とする、請求項１、５、６または８に記載の全方向伸縮性衣料品。
【請求項１０】
前記体の部分が、鼻、口、耳、指またはつま先のうちの少なくとも一つを含むことを特徴とする、請求項９に記載の全方向伸縮性衣料品。
【請求項１１】
前記治療用物質が、所望の効果をもたらすために、前記衣料品の前記第一の表面上に適用されることを特徴とする、請求項１〜１０のいずれかに記載の全方向伸縮性衣料品。
【請求項１２】
一以上の治療用物質が、前記衣料品の少なくとも一つの前記表面に埋め込まれまたは取り付けられていることを特徴とする、請求項１〜１１のいずれかに記載の全方向伸縮性衣料品。
【請求項１３】
着用者の肌または体の上で、前記衣料品に、一定かつ軽度の圧力を加えることにより、前記治療用物質の効果の有用性を高めることを特徴とする、請求項１〜１２のいずれかに記載の全方向伸縮性衣料品。
【発明の詳細な説明】
【背景技術】
【０００１】
市場にあるいくつかの不織布製品は、スキンケアなどの関連素材であり、例えば、ＤＨＣ社のアルファ−アルブチンホワイトマスクなどがある。一般的な不織布素材には、伸縮性が限定的であること、不織布生地への物質吸収を制御することが限定的であること、および、該生地から着用者の肌への物質放出を制御することが限定的であることなど、いくつかの難点がある。本出願は、これらの難点を除去するとともに、付加的な利点を提供することを探求する。
【発明の概要】
【０００２】
埋め込まれたまたは一体化された治療用物質を含む全方向伸縮性衣料品、および、そのような衣料品の製造方法が提供される。該衣料品は、少なくとも一つの全方向伸縮性ポリマー層、該ポリマー層の少なくとも一部に取り付けられた少なくとも一つの繊維層、および、少なくとも二層のうちの少なくとも一層に埋め込まれたまたは一体化された少なくとも一つのタイプの治療用物質を含む。
【０００３】
一つの実施形態において、該全方向伸縮性衣料品は、第一の表面および第二の表面を有する少なくとも一つの全方向伸縮性ポリマー層、該衣料品の該第一の表面および該第二の表面のうちの一つまたは両方の少なくとも一部に取り付けられた繊維またはばら毛、および治療用物質を含む。ここで、該治療用物質は、前記全方向伸縮性衣料品の該ポリマー層、該繊維または両者の、少なくとも一部に埋め込まれまたは一体化されている。該治療用物質は、湿潤状態または乾燥状態で容易に活性な状態となり、または、いかなる好適な効果またはエネルギーを適用することによって、もしくは、いかなる好適な物質をいかなる形態で添加することによって、いかなる所望時でも活性化される。また、該ポリマー層は、該治療用物質を衣料品のある一つの側から他の側へ漏洩させることなく、着用者の肌または該衣料品の該第一の表面にのみ付着した状態に維持するために、かなり不浸透性である。
【０００４】
該ポリマー層は、異なる形状、厚さ、物質組成、色、におい、柄またはプリントを、穴、穿孔、およびエンボス加工に加えて、異なる場所に有していてもよい。該繊維は、少なくとも一つのタイプのばら毛、高吸収性繊維、または、いかなる他の好適なタイプの繊維であってもよい。本発明品の製造工程中のいかなる段階で、または、該製造工程の後で、少なくとも一種の治療用物質を、本発明品に適用する。
【発明を実施するための形態】
【０００５】
少なくとも二つの表面を有する全方向伸縮性衣料品が提供される。該衣料品は、少なくとも一つの全方向伸縮性ポリマー層を含む。該全方向伸縮性ポリマーは、例えば、限定されるものではないが、天然または人工ゴムなどである。該天然または人工ゴムの例としては、ラテックス、ネオプレン、または、いかなるその他の好適なエラストマー材料であり、該その他の好適なエラストマー材料は、例えばＵＳ特許第７，７６７，１３３、第７，９０１，７４０および第８，３２３，７６４に記載された材料などであり、これらの文献は本明細書で言及することによりその全体が組込まれる。この層は、異なる形状、厚さ、物質組成、色、におい、柄またはプリントを、穴、穿孔、およびエンボス加工に加えて、異なる場所に有していてもよい。この層の形状の例は、ＵＳ特許第７，７００，０３０に記載されており、該文献は、本明細書で言及することによりその全体が組込まれる。
【０００６】
例えば、限定されるものではないが、綿、ビスコース、ポリプリピレン、ポリエチレン、または、いかなる他の好適な繊維タイプなどの、少なくとも一つのタイプの繊維またはばら毛は、該衣料品の一つの表面の少なくとも一部に取り付けられる。該繊維は、異なる厚さ、長さ、色などであってもよく、また、異なる専用性能品質を有していてもよい。該専用性能品質は、例えば、限定されるものではないが、液体吸収、液体斥力、または、いかなるその他の所望の特性および組み合わせである。ばら毛の更なる例は、ＵＳ特許第７，７６７，１３３、第７，９０１，７４０および第８，３２３，７６４に記載されており、これらの文献は、本明細書で言及することによりその全体が組込まれる。
【０００７】
治療用物質は、該全方向伸縮性衣料品の一つの表面の少なくとも一部に埋め込まれ、または、その一部と一体化される。該治療用物質は、少なくとも二つの層のうちの少なくとも一つの層に埋め込まれてもよく、またはその層と一体化されてもよい。該治療用物質は、該衣料品の製造工程中のいかなる段階で適用されてもよく、または、該製造工程の後で適用されてもよい。
【０００８】
本出願において、「治療の（ｃｕｒａｔｉｖｅ）」という単語は、以下を表してよい：例えば、限定されるものではないが、抗菌物質、化学療法用の物質、鎮静用の物質、および他の治療用物質などの、いかなる医用物質；ナノ粒子；例えば、限定されるものではないが、アンチ−エイジング用、美顔用の化粧品原料、およびにきび治療用のクリーム、ならびに、その他の化粧品原料などの、化粧品原料；例えば、限定されるものではないが、やけど治療、整形外科治療、抗真菌などの治療用の物質；例えば、限定されるものではないが、発汗抑制剤などの、理学療法、精神療法、感情療法；気分を良くさせる芳香またはアロマによる療法用の物質；または、製品の使用者または製品の使用者と物理的に接触している各個人に対して、影響を与え得るいかなる物質。
【０００９】
該治療用物質は、湿潤状態または乾燥状態において容易に活性な状態となってもよく、または、いかなる好適な効果またはエネルギーを適用することによって、もしくは、いかなる好適な物質をいかなる形態で添加することによって、いかなる所望時にも活性化されてもよい。該好適な効果またはエネルギーは、例えば、限定されるものではないが、熱、光、圧力、音、振動、放射線、レーザー、超音波、電気、またはいかなる他の形態のエネルギーまたは物理的効果である。添加する該好適な物質の形態としては、例えば、限定されるものではないが、いかなる液体、粉体、蒸気などである。
【００１０】
該ポリマー層は、かなり不浸透性であり、該治療用物質を該衣料生地のある表面から他の表面に漏洩させることなく、着用者の肌に付着した状態または該衣料品の外側の表面にのみ付着した状態に維持する。
【００１１】
一つの実施形態において、該伸縮性衣料品は、袖状を成していてもよい。
【００１２】
別の実施形態において、該伸縮性衣料品は、手袋、靴下、頭部全体を覆うマスクなどの閉鎖されたスペースを形成していてもよい。
【００１３】
さらに別の実施形態において、該伸縮性衣料品は、シート状または紐状に構成されていてもよい。
【００１４】
さらに別の実施形態において、該伸縮性衣料品は、少なくとも一つの付加的な穴または開口部を有していてもよい。ここで、該穴または開口部は、例えば、限定されるものではないが、鼻、口、耳、指、および／または、つま先などの体の一部によって支えられていてもよい。これらによって、該体の一部が該開口部から突き出し、目的とする体の部分のみを覆うことができる。
【００１５】
さらに別の実施形態において、例えば防腐性保護などの所望の効果をもたらすために、該治療用物質を、該衣料品の外側表面上に適用する。
【００１６】
さらに別の実施形態において、一種以上の治療用物質を、該衣料品の該表面に埋め込み、または、取り付ける。例えば、該生地の一部が発汗抑制剤を含んでもよく、かつ、該生地の第二の部分がアンチ−エイジング物質を含んでもよい。
【００１７】
さらに別の実施形態において、着用者の肌または体の上で、該衣料品に一定かつ軽度の圧力を加え、該治療用物質の効果の有用性を高める。
【００１８】
さらに別の実施形態において、該ポリマー層は、かなり不浸透性であり、該治療用物質を着用者の肌に付着した状態に維持する。
【００１９】
さらに別の実施形態において、例えば他の治療用物質の効果の有用性を高めるために、さまざまな方法でナノメートル粒子を使用する。
【００２０】
さらに別の実施形態において、該生地は、トップシートで覆われている。該トップシートは、使用している間保持されていてもよく、または該治療用物質を露出させ着用者の肌に直接接触させるために取り除かれてもよい。トップシートには、いかなる好適な物質をも用いることができ、限定されないが、不織多孔性高分子フィルムまたは膜を包含する。
【国際調査報告】
2016507292.tif 000002
2016507292.tif 000003
2016507292.tif 000004